(57)【要約】【課題】様々な情報を見やすく表示しつつ、いずれかの情報を容易に選択することができる表示装置および電子カメラを提供する。【解決手段】デジタルカメラは、ブラウザビュー画面を表示することで、画面上に擬似立体空間を表現し、その擬似立体空間の所定の領域を示す空間カーソル３０を表示すると共に、擬似立体空間内の所定の位置に配置された各種の情報をアイコン３１〜３４によって表示する。そして、シャッターボタンが半押し操作されると、アイコン３１〜３４の各情報のうち、空間カーソル３０内に配置された情報を選択する。【選択図】図５
2012199971.tif 000002
【特許請求の範囲】
【請求項１】
撮影位置が関連付けて記録されている撮影画像が複数記録されている外部記録装置から、前記撮影画像に関連付けて記録されている前記撮影位置に基づいて、画面上に表現されている擬似立体空間内に含まれる撮影画像を抽出する抽出部と、
前記擬似立体空間の所定の領域を示す空間カーソルと、前記抽出部により抽出された撮影画像に対応する立体アイコンとを表示する表示部と、
前記空間カーソル内に配置された前記立体アイコンを選択する選択部とを備え、
前記表示部は、前記擬似立体空間内で前記撮影位置に対応する位置に、前記撮影画像に含まれている主要被写体に応じて前記立体アイコンの形状を変更して前記立体アイコンを表示すること
を特徴とする表示装置。
【請求項２】
請求項１に記載の表示装置において、
前記表示部は、前記撮影画像から前記主要被写体を含むように一部切り出された画像をテクスチャとして前記立体アイコンを表示すること
を特徴とする表示装置。
【請求項３】
請求項２に記載の表示装置において、
前記表示部は、前記撮影画像の画角に応じて前記テクスチャ面の大きさを変更して前記立体アイコンを表示すること
を特徴とする表示装置。
【請求項４】
請求項２又は請求項３に記載の表示装置において、
前記表示部は、前記撮影画像の被写界深度に応じて前記テクスチャ面に直交する厚み方向の長さを変更して前記立体アイコンを表示すること
を特徴とする表示装置。
【請求項５】
請求項１から請求項４のいずれか一項に記載の表示装置において、
前記外部記録装置には、前記撮影位置及び撮影方向が関連付けて記録された撮影画像が複数記録されており、
前記表示部は、前記擬似立体空間内で前記撮影方向に対応する向きで前記立体アイコン
を表示すること
を特徴とする表示装置。
【請求項６】
請求項１から請求項５のいずれか一項に記載の表示装置において、
前記空間カーソルを前記擬似立体空間内で移動させるためにユーザにより操作される操作部を更に備えること
を特徴とする表示装置。
【請求項７】
請求項１から請求項５のいずれか一項に記載の表示装置において、
前記表示装置の向きを検出する検出部と、
前記検出部により検出された前記表示装置の向きに応じて、前記空間カーソルを前記擬似立体空間内で移動させる移動手段を更に備えること
を特徴とする表示装置。
【請求項８】
請求項１から請求項７のいずれか一項に記載の表示装置において、
記録装置を装着する装着部を更に備え、
前記外部記録装置は、前記装着部に装着された記録装置であること
を特徴とする表示装置。
【請求項９】
請求項１から請求項８のいずれか一項に記載の表示装置において、
前記外部記録装置は、無線通信部を介して接続されるサーバ装置であること
を特徴とする表示装置。
【請求項１０】
請求項１から請求項９のいずれか一項に記載の表示装置を備えること
を特徴とする電子カメラ。
【請求項１１】
請求項１０に記載の電子カメラにおいて、
被写体を撮影して撮影画像を取得する撮影画像取得部と、
被写体を撮影したときの撮影位置を取得する撮影位置取得部と、
被写体を撮影したときの撮影方向を取得する撮影方向取得部と、
前記撮影画像取得部により取得した前記撮影画像と、前記撮影位置取得部により取得した前記撮影位置と、前記撮影方向取得部により取得した前記撮影方向とを関連付けて前記外部記録装置に記録する記録制御部を更に備えること
を特徴とする電子カメラ。
【請求項１２】
請求項１０又は請求項１１に記載の電子カメラにおいて、
前記表示部は、設定されている撮影レンズの焦点距離に応じて前記空間カーソルの大きさを変更して前記空間カーソルを表示すること
を特徴とする電子カメラ。
【請求項１３】
撮影位置及び撮影方向が関連付けて記録されている撮影画像が複数記録されている外部記録装置から、前記撮影画像に関連付けて記録されている前記撮影位置に基づいて、画面上に表現されている擬似立体空間内に含まれる撮影画像を抽出する抽出部と、
前記擬似立体空間の所定の領域を示す空間カーソルと、前記抽出部により抽出された撮影画像に対応する立体アイコンとを表示する表示部と、
前記空間カーソル内に配置された前記立体アイコンを選択する選択部とを備え、
前記表示部は、前記擬似立体空間内で前記撮影位置に対応する位置に前記撮影方向に対応する向きで前記立体アイコンを表示すること
を特徴とする表示装置。
【請求項１４】
請求項１３に記載の表示装置と、
被写体を撮影して撮影画像を取得する撮影画像取得部と、
被写体を撮影したときの撮影位置を取得する撮影位置取得部と、
被写体を撮影したときの撮影方向を取得する撮影方向取得部と、
前記撮影画像取得部により取得した前記撮影画像と、前記撮影位置取得部により取得した前記撮影位置と、前記撮影方向取得部により取得した前記撮影方向とを関連付けて前記外部記録装置に記録する記録制御部を更に備えること
を特徴とする電子カメラ。
【請求項１５】
撮影位置が関連付けて記録されている撮影画像が複数記録されている外部記録装置から、前記撮影画像に関連付けて記録されている前記撮影位置に基づいて、画面上に表現されている擬似立体空間内に含まれる撮影画像を抽出する抽出ステップと、
前記擬似立体空間の所定の領域を示す空間カーソルと、前記抽出ステップにより抽出された撮影画像に対応する立体アイコンとを表示する表示ステップと、
前記空間カーソル内に配置された前記立体アイコンを選択する選択ステップとをコンピュータに実行させる制御プログラムであって、
前記表示ステップは、前記擬似立体空間内で前記撮影位置に対応する位置に、前記撮影画像に含まれている主要被写体に応じて前記立体アイコンの形状を変更して前記立体アイコンを表示する制御プログラム。
【請求項１６】
撮影位置及び撮影方向が関連付けて記録されている撮影画像が複数記録されている外部記録装置から、前記撮影画像に関連付けて記録されている前記撮影位置に基づいて、画面上に表現されている擬似立体空間内に含まれる撮影画像を抽出する抽出ステップと、
前記擬似立体空間の所定の領域を示す空間カーソルと、前記抽出ステップにより抽出された撮影画像に対応する立体アイコンとを表示する表示ステップと、
前記空間カーソル内に配置された前記立体アイコンを選択する選択ステップとをコンピュータに実行させる制御プログラムであって、
前記表示ステップは、前記擬似立体空間内で前記撮影位置に対応する位置に前記撮影方向に対応する向きで前記立体アイコンを表示する制御プログラム。
【発明の詳細な説明】
【技術分野】
【０００１】
本発明は、表示装置、電子カメラおよび制御プログラムに関する。
【背景技術】
【０００２】
従来、カメラに記録されている撮影画像等の各種情報の中から、所望の情報を検索するための様々な方法が提案されている。特許文献１には、ファイル名、撮影日時、名前などのキーワードをユーザが入力すると、そのキーワードに基づいて、記録されている撮影画像の中から該当する画像を検索して一覧表示する電子カメラが開示されている。
【先行技術文献】
【特許文献】
【０００３】
【特許文献１】特開２００６−１６６１９３号公報
【発明の概要】
【発明が解決しようとする課題】
【０００４】
特許文献１に開示される電子カメラでは、検索された画像がリストやインデックスにより一覧表示される。そのため、様々な種類の画像が多数検索されたときなどは、それらの画像を見やすく表示することができず、また、いずれかの画像を選択することが容易ではない場合がある。そこで、様々な情報を見やすく表示しつつ、いずれかの情報を容易に選択することができる表示装置および電子カメラが求められている。
【課題を解決するための手段】
【０００５】
請求項１に記載の表示装置は、撮影位置が関連付けて記録されている撮影画像が複数記録されている外部記録装置から、前記撮影画像に関連付けて記録されている前記撮影位置に基づいて、画面上に表現されている擬似立体空間内に含まれる撮影画像を抽出する抽出部と、前記擬似立体空間の所定の領域を示す空間カーソルと、前記抽出部により抽出された撮影画像に対応する立体アイコンとを表示する表示部と、前記空間カーソル内に配置された前記立体アイコンを選択する選択部とを備え、前記表示部は、前記擬似立体空間内で前記撮影位置に対応する位置に、前記撮影画像に含まれている主要被写体に応じて前記立体アイコンの形状を変更して前記立体アイコンを表示することを特徴とする。
請求項１０に記載の電子カメラは、請求項１から請求項９のいずれか一項に記載の表示装置を備えることを特徴とする。
請求項１３に記載の表示装置は、撮影位置及び撮影方向が関連付けて記録されている撮影画像が複数記録されている外部記録装置から、前記撮影画像に関連付けて記録されている前記撮影位置に基づいて、画面上に表現されている擬似立体空間内に含まれる撮影画像を抽出する抽出部と、前記擬似立体空間の所定の領域を示す空間カーソルと、前記抽出部により抽出された撮影画像に対応する立体アイコンとを表示する表示部と、前記空間カーソル内に配置された前記立体アイコンを選択する選択部とを備え、前記表示部は、前記擬似立体空間内で前記撮影位置に対応する位置に前記撮影方向に対応する向きで前記立体アイコンを表示することを特徴とする。
請求項１４に記載の電子カメラは、請求項１３に記載の表示装置と、被写体を撮影して撮影画像を取得する撮影画像取得部と、被写体を撮影したときの撮影位置を取得する撮影位置取得部と、被写体を撮影したときの撮影方向を取得する撮影方向取得部と、前記撮影画像取得部により取得した前記撮影画像と、前記撮影位置取得部により取得した前記撮影位置と、前記撮影方向取得部により取得した前記撮影方向とを関連付けて前記外部記録装置に記録する記録制御部を更に備えることを特徴とする。
請求項１５に記載の制御プログラムは、撮影位置が関連付けて記録されている撮影画像が複数記録されている外部記録装置から、前記撮影画像に関連付けて記録されている前記撮影位置に基づいて、画面上に表現されている擬似立体空間内に含まれる撮影画像を抽出する抽出ステップと、前記擬似立体空間の所定の領域を示す空間カーソルと、前記抽出ステップにより抽出された撮影画像に対応する立体アイコンとを表示する表示ステップと、前記空間カーソル内に配置された前記立体アイコンを選択する選択ステップとをコンピュータに実行させる制御プログラムであって、前記表示ステップは、前記擬似立体空間内で前記撮影位置に対応する位置に、前記撮影画像に含まれている主要被写体に応じて前記立体アイコンの形状を変更して前記立体アイコンを表示する。
請求項１６に記載の制御プログラムは、撮影位置及び撮影方向が関連付けて記録されている撮影画像が複数記録されている外部記録装置から、前記撮影画像に関連付けて記録されている前記撮影位置に基づいて、画面上に表現されている擬似立体空間内に含まれる撮影画像を抽出する抽出ステップと、前記擬似立体空間の所定の領域を示す空間カーソルと、前記抽出ステップにより抽出された撮影画像に対応する立体アイコンとを表示する表示ステップと、前記空間カーソル内に配置された前記立体アイコンを選択する選択ステップとをコンピュータに実行させる制御プログラムであって、前記表示ステップは、前記擬似立体空間内で前記撮影位置に対応する位置に前記撮影方向に対応する向きで前記立体アイコンを表示する。
【発明の効果】
【０００６】
本発明によれば、様々な情報を見やすく表示することができる。
【図面の簡単な説明】
【０００７】
【図１】本発明の一実施の形態によるカメラシステムの構成図である。
【図２】本発明の一実施の形態によるデジタルカメラの外観を示す図である。
【図３】本発明の一実施の形態によるデジタルカメラのブロック図である。
【図４】撮影モードが設定されたときに表示されるスルー画像の例を示す図である。
【図５】情報検索モードが設定されたときに表示されるブラウザビュー画面の例を示す図である。
【図６】セレクトビュー画面の例を示す図である。
【図７】ワンビュー画面の例を示す図である。
【図８】時空データベースから様々な情報を抽出して表示するときの処理の流れを示すフローチャートを示す図である。
【発明を実施するための形態】
【０００８】
以下に図面を用いて本実施の形態の電子カメラについて説明する。図１は、本発明の一実施形態によるデジタルカメラを含むカメラシステムの構成図である。図１に示すカメラシステムは、デジタルカメラ１、アクセスポイント２およびサーバ装置３によって構成される。アクセスポイント２とサーバ装置３は、インターネットを介して接続されている。
【０００９】
デジタルカメラ１は、ユーザの撮影指示に応じて被写体を撮影し、撮影画像情報を取得する電子カメラである。また、デジタルカメラ１は、アクセスポイント２と無線通信を行うための無線通信機能を有している。この無線通信により、アクセスポイント２およびインターネットを介して、デジタルカメラ１とサーバ装置３が接続される。なお、デジタルカメラ１の構成については、後で図２および図３を用いて詳細に説明する。
【００１０】
アクセスポイント２は、デジタルカメラ１を含む無線通信機能を備えた各種の機器がインターネット等のネットワークを利用して通信できるようにするための装置である。デジタルカメラ１とアクセスポイント２が無線通信を行うことにより、前述のようにデジタルカメラ１とサーバ装置３が接続される。
【００１１】
サーバ装置３は、時空データベースと呼ばれる情報のデータベースを格納している。この時空データベースには、様々な情報がその情報の取得位置および取得時刻と関連付けて記録されている。たとえば、デジタルカメラ１または他のカメラによって取得された撮影画像情報や、文字情報、音声情報などが、その取得位置および取得時刻と関連付けて時空データベースに記録されている。
【００１２】
次に、デジタルカメラ１の構成について説明を行う。図２は、デジタルカメラ１の外観を示す図である。図２の外観図において、デジタルカメラ１は、シャッターボタン１１、電源ボタン１２、ズームボタン１３、再生ボタン１４、メニューボタン１５、削除ボタン１６、ジョグダイヤル１７、決定ボタン１８、ＬＡＮ（Local Area Network）アクセス用ＬＥＤ（Light Emitting Diode）１９、ストロボ充電用ＬＥＤ２０、ＡＦ（Auto Focus）用ＬＥＤ２１、メモリアクセス用ＬＥＤ２２、電源用ＬＥＤ２３およびモニタ１０４を備える。
【００１３】
シャッターボタン１１は、ユーザがデジタルカメラ１に対して撮影の指示などを行うための操作ボタンであり、半押し、全押しの２段階のスイッチを有する。電源ボタン１２は、ユーザがデジタルカメラ１のメイン電源をオンからオフに、またはオフからオンに切り替えるための操作ボタンである。ズームボタン１３は、ユーザがデジタルカメラ１の撮影レンズの焦点距離を変化させる際などに使用する操作ボタンである。
【００１４】
再生ボタン１４は、ユーザがデジタルカメラ１に画像データの再生指示などを行うための操作ボタンである。メニューボタン１５は、ユーザがデジタルカメラ１に対してメニュー画面の呼び出し指示などを行うための操作ボタンである。削除ボタン１６は、ユーザがデジタルカメラ１に装填されたメモリカードから画像データを削除する際などに用いられる操作ボタンである。
【００１５】
ジョグダイヤル１７は、画面中のカーソルの移動指示などをユーザが行うための回転可能な操作部材である。決定ボタン１８は、ユーザがメニュー画面において設定内容の決定などを行うための操作ボタンである。
【００１６】
ＬＡＮアクセス用ＬＥＤ１９は、デジタルカメラ１がアクセスポイント２と無線通信を行っているときなどに点灯する表示装置である。ＬＡＮアクセス用ＬＥＤ１９が点灯することにより、デジタルカメラ１が通信中であることをユーザに知らせることができる。ストロボ充電用ＬＥＤ２０は、ストロボの充電中に点灯する表示装置である。ストロボ充電用ＬＥＤ２０が撮影前に点灯することにより、ストロボ充電中であり撮影準備が完了していないことをユーザに知らせることができる。
【００１７】
ＡＦ用ＬＥＤ２１は、ＡＦの合焦状態をユーザに知らせるための表示装置である。メモリアクセス用ＬＥＤ２２は、メモリアクセス状態のとき、すなわち、デジタルカメラ１に装填されたメモリカードにデータを書き込んでいるとき、および、メモリカードからデータを読み込んでいるときに点灯する表示装置である。電源用ＬＥＤ２３は、デジタルカメラ１が電源投入状態のときに点灯する表示装置である。
【００１８】
モニタ１０４は、ＬＣＤ（Liquid Crystal Display）等を用いたカラー表示装置であり、各種の画像を表示する。たとえば、モニタ１０４がスルー画像を表示することにより、モニタ１０４は撮影時のビューファインダとして用いられる。なお、スルー画像（スルー画）とは、後で説明する撮影モードや情報検索モードなどの動作モードがデジタルカメラ１において設定されているときに、リアルタイムでモニタ１０４に表示される被写体の撮影画像である。さらに、モニタ１０４は、撮影画像の再生表示や、メニュー画面の表示等を行うこともできる。
【００１９】
図３は、デジタルカメラ１のブロック図である。このブロック図に示すように、デジタルカメラ１は、ＣＰＵ１０１、圧縮／伸張回路１０２、表示ドライバ１０３、モニタ１０４、キー入力部１０５、無線ＬＡＮ回路１０６、ＧＰＳ（Global Positioning System）
センサ１０７、モーションセンサ１０８、コンデンサ１０９、バッテリ１１０、ストロボ１１１、ＣＣＤ（Charge Coupled Device）ドライバ１１２、ＣＣＤ１１３およびメモリ
１１４を有している。また、記録媒体であるメモリカード１１５が不図示のカードスロットに装填されている。
【００２０】
ＣＰＵ１０１は、様々な処理や制御を実行するための回路であり、マイコン等を用いて構成される。圧縮／伸張回路１０２は、撮影画像データの圧縮／伸張を行う回路である。表示ドライバ１０３は、モニタ１０４に表示する映像をコントロールする駆動回路である。キー入力部１０５は、デジタルカメラ１に設けられたボタン、スイッチ、ダイヤル等の操作を検出する回路である。
【００２１】
無線ＬＡＮ回路１０６は、無線で外部機器と通信するための通信回路である。この無線ＬＡＮ回路１０６によってアクセスポイント２との間で無線通信を行うことにより、デジタルカメラ１がインターネットを介してサーバ装置３に接続される。
【００２２】
ＧＰＳセンサ１０７は、ＧＰＳ衛星から送信されるＧＰＳ信号を受信し、ＣＰＵ１０１へ出力する。このＧＰＳ信号に基づいて、ＣＰＵ１０１においてデジタルカメラ１の現在位置が検出される。モーションセンサ１０８は、デジタルカメラ１の姿勢変化を、ピッチ、ヨー、ロールの各方向について検出する。なお、デジタルカメラ１において光軸を水平方向に向けたときに、ピッチ方向の姿勢変化は、その光軸と水平に直交する軸回りの姿勢変化、すなわち仰角の変化を表し、ヨー方向の姿勢変化は、その光軸と垂直に直交する軸
回りの姿勢変化、すなわち方位角の変化を表している。また、ロール方向の姿勢変化は、光軸回りの姿勢変化、すなわちデジタルカメラ１の傾きの変化を表している。
【００２３】
コンデンサ１０９は、バッテリ１１０からの電力を受けて充電し、ストロボ１１１の発光に使用する。また、緊急時のバックアップ電源としてカメラの駆動に使用する。バッテリ１１０は、デジタルカメラ１を動作させるために必要な電力を供給するリチウムイオン充電池等の電源である。
【００２４】
ストロボ１１１は、被写体に補助光を照射することにより暗い環境でも撮影を可能にする。ＣＣＤドライバ１１２は、ＣＣＤ１１３を駆動するための回路である。ＣＣＤ１１３は、撮影レンズを介した被写体像を撮像するための撮像素子である。ＣＣＤ１１３によって被写体像が撮像されると、ＣＣＤ１１３からＣＣＤドライバ１１２へ撮像信号が出力される。この撮像信号は、ＣＣＤドライバ１１２において撮像画像データに変換された後、ＣＰＵ１０１へ出力される。
【００２５】
メモリ１１４は、不揮発性の半導体メモリであり、ＣＰＵ１０１が実行する制御に用いるためのプログラムやデータ等を記憶している。メモリカード１１５は、ＣＰＵ１０１の制御により、デジタルカメラ１によって取得された撮影画像情報など各種の情報が記録される。なお、メモリカード１１５には、前述の図１のサーバ装置３と同様に、取得位置および取得時刻と関連付けて情報が記録されている。すなわち、メモリカード１１５には、デジタルカメラ１において取得された情報による時空データベースが格納されている。
【００２６】
続いて、デジタルカメラ１の動作について説明する。デジタルカメラ１は、撮影画像を取得するための撮影モードや、時空データベースから情報を検索するための情報検索モードなど、様々な動作モードをユーザの操作に応じて設定することができる。
【００２７】
撮影モードが設定されている場合、デジタルカメラ１は、被写体の撮影を行う前には、ＣＣＤ１１３によって撮像された被写体の像に基づいて、前述したようにスルー画像を取得し、モニタ１０４に表示する。シャッターボタン１１をユーザが操作することによって撮影指示が行われると、デジタルカメラ１はその撮影指示に応じて、被写体を撮影して撮影画像を取得し、取得した撮影画像の情報をメモリカード１１５に記録する。
【００２８】
メモリカード１１５に撮影画像情報を記録する際、デジタルカメラ１は、その撮影画像情報に撮影時の様々な情報をメタ情報として付加する。たとえば、撮影時刻、撮影画像の画角、焦点距離、シャッター速度、主要被写体の位置、主要被写体までの距離など、様々な情報をメタ情報として撮影画像情報に付加して、メモリカード１１５に記録する。このメタ情報には、ＧＰＳセンサ１０７を用いて撮影時に検出されたデジタルカメラ１の位置情報も含まれる。すなわち、ＣＣＤ１１３で撮像した画像は、ＧＰＳセンサ１０７から出力されたＧＰＳ信号に基づいてＣＰＵ１０１で検出された位置に関する情報（データ）をメタ情報として有している。このようなメタ情報が付加された撮影画像情報がメモリカード１１５に記録されることで、デジタルカメラ１において取得された撮影画像の情報が、その取得位置および取得時刻と関連付けて、メモリカード１１５の時空データベースに記録される。
【００２９】
さらにこのとき、デジタルカメラ１は、モーションセンサ１０８によって検出されたデジタルカメラ１の姿勢変化に基づいて、撮影時のデジタルカメラ１の向きを検出する。このとき、デジタルカメラ１の水平方向の向きを表す方位角と、デジタルカメラ１の鉛直方向の向きを表す仰角とを求めることにより、撮影時のデジタルカメラ１の向きを検出する。こうして検出された撮影時の向きの情報をメタ情報に加えることで、撮影画像情報をさらに取得方向と関連付けてメモリカード１１５の時空データベースに記録してもよい。
【００３０】
なお、メモリカード１１５に記録された撮影画像情報の一部を、ユーザの操作に応じてデジタルカメラ１からサーバ装置３へ送信し、サーバ装置３において時空データベースに記録するようにしてもよい。このとき、撮影画像を取得したときに検出されたデジタルカメラ１の位置や向き、時間などの情報が、撮影画像情報と共にメタ情報として送信される。これらのメタ情報を撮影画像情報と共に記録することにより、サーバ装置３の時空データベースにおいて、撮影画像情報がその取得位置、取得時間、取得方向などと関連付けて記録される。すなわち、メモリカード１１５またはサーバ装置３の時空データベースには、位置に関するデータや、向きに関するデータ、当該情報が作成された時間データなどを、メタ情報として有する情報が記録されている。
【００３１】
一方、情報検索モードが設定されている場合、デジタルカメラ１は、サーバ装置３またはメモリカード１１５に格納された時空データベースから、所定の検索条件を満たす情報を検索して抽出する。そして、抽出した情報をスルー画像に重ねてモニタ１０４に表示し、ユーザに提示する。なお、サーバ装置３の時空データベースから抽出された情報は、インターネットおよびアクセスポイント２を介してデジタルカメラ１へ送信される。
【００３２】
デジタルカメラ１は、時空データベースから情報を検索する際の検索条件の一つとして、情報の取得位置に対する検索対象エリアを設定することができる。この検索対象エリアは、ＧＰＳセンサ１０７により受信されたＧＰＳ信号に基づくデジタルカメラ１の現在位置（カメラ位置）と、モーションセンサ１０８により検出されたデジタルカメラ１の姿勢に基づく光軸の向き（カメラ向き）とに基づいて設定される。具体的には、現在のカメラ位置を視点に設定し、その視点からカメラ向きの方向に向かって延びる所定長さのベクトルを視線ベクトルとする。この視線ベクトルを中心とする所定の空間範囲を、検索対象エリアに設定する。なお、視点から離れるほど検索対象エリアを広くなるように設定する。または、その逆のどちらでも良い。
【００３３】
上記の検索対象エリアの設定において、水平方向のカメラ向き、すなわち方位角のみを利用してもよい。すなわち、水平方向については所定の空間範囲を検索対象エリアとし、垂直方向については全空間範囲を検索対象エリアに含めることができる。あるいは、水平方向のカメラ向きに加えて、垂直方向のカメラ向き、すなわち仰角も利用して、水平方向と垂直方向のそれぞれについて所定の空間範囲を検索対象エリアに設定してもよい。さらに、カメラ向きを利用せず、カメラ位置のみに基づいて検索対象エリアを設定するようにしてもよい。すなわち、現在のカメラ位置を中心とする所定の範囲を検索対象エリアに設定してもよい。
【００３４】
また、検索条件の設定において、以上説明したような検索対象エリアに加えて、さらに情報の取得時刻（作成時刻）に対する検索対象時間を設定するようにしてもよい。すなわち、過去から現在までの間で所定の時間範囲を設定し、その時間範囲を検索対象時間とすることで、検索条件を設定する。この検索対象時間の範囲は、モーションセンサ１０８により検出されたデジタルカメラ１の光軸回りの傾き（カメラ傾き）に基づいて、次のようにして設定される。
【００３５】
現在のカメラ傾きがほぼ０である場合、すなわちユーザがデジタルカメラ１をほぼ真っ直ぐに向けて構えている場合は、現在から所定の時間範囲、たとえば１年前までの時間範囲を検索対象時間に設定する。その状態からユーザがデジタルカメラ１を右回りに傾けると、検索対象時間の範囲を次第に過去に遡って変化させる。このとき、カメラ傾きの角度が大きくなるほど、それに応じて検索対象時間の範囲を大きく変化させるようにしてもよい。たとえば、カメラ傾きの角度に対して、１０°、２０°および３０°の三段階のしきい値を設定しておく。そして、カメラ傾きの角度が１０°以上２０°未満のときには一ヶ
月ずつ、２０°以上３０°未満のときには半年ずつ、３０°以上のときには一年ずつ、それぞれ所定のタイミングごとに、検索対象時間の範囲を過去に遡って変化させる。反対に、ユーザがデジタルカメラ１を左回りに傾けると、検索対象時間の範囲を過去から現在に向かって次第に変化させる。このときも同様に、カメラ傾きの角度が大きくなるほど、検索対象時間を大きく変化させることができる。
【００３６】
以上説明したような検索条件がデジタルカメラ１において設定されると、その検索条件を満たす情報が、サーバ装置３またはメモリカード１１５に格納された時空データベースから抽出される。すなわち、検索条件として設定された検索対象エリア内の取得位置に関連付けられた情報や、検索条件として設定された検索対象時間内の取得時刻（作成時刻）に関連付けられた情報が、時空データベースから検索されて抽出される。このとき、最初にメモリカード１１５の時空データベースを検索し、該当する情報が抽出されなかった場合は、サーバ装置３の時空データベースを検索するようにしてもよい。あるいは、メモリカード１１５とサーバ装置３の時空データベースを共に検索するようにしてもよい。なお、サーバ装置３の時空データベースを検索する場合には、デジタルカメラ１において設定された検索条件が、アクセスポイント２およびインターネットを介してサーバ装置３へ送信される。また、サーバ装置３の時空データベースから抽出された情報は、インターネットおよびアクセスポイント２を介してデジタルカメラ１へ送信される。
【００３７】
デジタルカメラ１は、サーバ装置３またはメモリカード１１５の時空データベースから上記のようにして抽出された情報を、スルー画像に重ねてモニタ１０４に表示する。これにより、時空データベースから検索されて抽出された情報がユーザに対して提示される。
【００３８】
あるいは、時空データベースに記録された情報をデジタルカメラ１のＣＰＵ１０１に入力し、その情報をデジタルカメラ１において検索するようにしてもよい。たとえば、デジタルカメラ１の現在位置から所定範囲内に対応する情報を時空データベースからデジタルカメラ１へ送信し、デジタルカメラ１において記憶しておく。この情報の中から、前述のようにして設定された検索条件を満たす情報を検索し、スルー画像と共に表示することとしてもよい。
【００３９】
なお、時空データベースから検索される情報は、デジタルカメラ１によって取得された撮影画像の情報に限らない。たとえば、他のカメラによる撮影画像の情報や、撮影画像以外の文字情報や音声情報などを時空データベースに記録しておき、検索するようにしてもよい。取得位置および取得時刻と関連付けて時空データベースに記録されている情報であれば、どのような情報であっても検索対象とすることができる。すなわち、ＣＰＵ１０１は、位置に関するデータを有する様々な情報を時空データベースから入力して検索することができる。
【００４０】
図４は、撮影モードが設定されたときにモニタ１０４に表示されるスルー画像の例である。撮影モードにおいてシャッターボタン１１が押されていないときには、このようなスルー画像が表示される。一方、図５は、情報検索モードが設定されたときのモニタ１０４における表示画面の例である。このような表示画面を、以下ではブラウザビュー画面と称する。
【００４１】
図５のブラウザビュー画面では、図４のスルー画像に重ねて、立体的な視覚効果を与えるためのグリッド線が表示される。これにより、画面上に擬似的な立体空間（以下、擬似立体空間と称する）が表現される。さらに、この擬似立体空間の所定の領域には、空間カーソル３０が表示される。なお、図５のブラウザビュー画面では、擬似立体空間の一部分を立体的に囲う枠型のフレームにより空間カーソル３０を表現しているが、これ以外の表現方法を用いてもよい。たとえば、色合いや画像の透過度を他の部分と変化させることに
より、空間カーソル３０を表現することができる。
【００４２】
ブラウザビュー画面における擬似立体空間の範囲は、前述のカメラ位置およびカメラ向きに応じて決定される。すなわち、デジタルカメラ１は、ＧＰＳセンサ１０７により受信されたＧＰＳ信号に基づいて検出された現在のカメラ位置を視点とし、モーションセンサ１０８により検出されたデジタルカメラ１の姿勢に基づく現在のカメラ向きを視線ベクトルとして、実空間における表示対象範囲を設定する。このときの表示対象範囲は、時空データベースから抽出された情報を全て表示できるようにするため、前述の検索対象エリアと同じ大きさか、それよりも小さくすることが好ましい。こうして設定された表示対象範囲に対応する擬似立体空間を、スルー画像に重ねてモニタ１０４の画面上に表現する。このように、ブラウザビュー画面における擬似立体空間の範囲は、現在のカメラ位置およびカメラ向きに応じた実空間上の表示対象範囲に対応して設定される。したがって、擬似立体空間の範囲は、スルー画像の表示範囲と一致している。
【００４３】
なお、デジタルカメラ１において撮影レンズの焦点距離が可変である場合は、撮影レンズの焦点距離に応じて上記の表示対象範囲を変化させることが好ましい。すなわち、撮影レンズの焦点距離が長くなって画角が小さくなるほど、スルー画像の表示範囲も小さくなるため、それに合わせて表示対象範囲も小さくする。この場合、ブラウザビュー画面では擬似立体空間が拡大されて表示される。反対に、撮影レンズの焦点距離が短くなって画角が大きくなるほど、スルー画像の表示範囲も大きくなるため、それに合わせて表示対象範囲も大きくする。この場合、ブラウザビュー画面では擬似立体空間が縮小されて表示される。このようにすることで、焦点距離を変化させた場合でも、スルー画像の表示範囲とブラウザビュー画面における擬似立体空間の範囲を確実に一致させることができる。
【００４４】
上記のようにした場合、さらに、ブラウザビュー画面における空間カーソル３０の大きさについても、撮影レンズの焦点距離に応じて決定することが好ましい。すなわち、撮影レンズの焦点距離が長くなり、ブラウザビュー画面において擬似立体空間が拡大されると、それに応じて空間カーソル３０も大きく表示する。反対に、撮影レンズの焦点距離が短くなり、ブラウザビュー画面において擬似立体空間が縮小されると、それに応じて空間カーソル３０も小さく表示する。このようにすることで、デジタルカメラ１のユーザは、ブラウザビュー画面において、焦点距離に応じて擬似立体空間の範囲が変化していることを認識することができる。
【００４５】
ブラウザビュー画面において、空間カーソル３０は、カメラ向き、すなわちモーションセンサ１０８によって検出されるデジタルカメラ１の姿勢変化に応じて、擬似立体空間内を自在に移動する。たとえば、モーションセンサ１０８によって検出されたヨー方向の姿勢変化に基づいて、現在の方位角すなわち水平方向のカメラ向きを求め、その水平方向のカメラ向きに応じて、グリッド線が引かれた平面上を空間カーソル３０が左右方向に移動する。また、モーションセンサ１０８によって検出されたピッチ方向の姿勢変化に基づいて、現在の仰角すなわち垂直方向のカメラ向きを求め、その垂直方向のカメラ向きに応じて、グリッド線が引かれた平面上を空間カーソル３０が奥行き方向に移動する。これにより、ユーザはデジタルカメラ１を直感的に操作して、空間カーソル３０を擬似立体空間内で思い通りに移動させることができる。
【００４６】
なお、空間カーソル３０を擬似立体空間内でさらに上下方向に移動させるようにしてもよい。たとえば、垂直方向のカメラ向きに応じて、空間カーソル３０を上下方向に移動させる。このとき奥行き方向の移動は、たとえばズームボタン１３の操作に応じて行うようにする。あるいは、カメラ向きによらず、ジョグダイヤル１７の操作や、図示しない十字キーの操作などに応じて、空間カーソル３０を移動させるようにしてもよい。すなわち、ユーザの操作に応じて空間カーソル３０を擬似立体空間内で移動させるための操作部材を
デジタルカメラ１が備えていてもよい。
【００４７】
以上説明した図５のブラウザビュー画面では、時空データベースから抽出された撮影画像情報を表すアイコン３１〜３４が、それぞれ擬似立体空間内で所定の位置に配置されている。これらの各アイコンの表示位置は、各アイコンが表す撮影画像情報の取得位置、すなわち、当該撮影画像情報と関連付けて時空データベースに記録された取得位置に対応して決定される。言い換えると、ブラウザビュー画面において、時空データベースから抽出された撮影画像情報は、実空間における取得位置に対応する擬似立体空間内の位置にそれぞれ配置されて表示される。すなわち、アイコン３１〜３４が表す各情報は、各情報が有するメタ情報の位置データに対応したスルー画像中の位置に配置される。
【００４８】
アイコン３１には、複数の撮影画像が重なって表示されている。これらの撮影画像は、いずれも同一のアイコン位置に対応する実空間内の場所において撮影されたものである。すなわち、実空間において同一のアイコン位置に対応する所定の領域内で撮影された複数の撮影画像の情報が、アイコン３１によって表されている。このように、同一のアイコン位置に対応する複数の撮影画像が検索条件を満たす情報として時空データベースから検索されて抽出された場合、ブラウザビュー画面では、その複数の撮影画像を擬似立体空間内の同じ位置に重ねて表示する。
【００４９】
アイコン３１が空間カーソル３０内にある場合、すなわち、重ねて表示された複数の撮影画像が空間カーソル３０内にある場合は、その複数の撮影画像が交互に切り替えて表示される。たとえば、最も手前側に表示されている撮影画像が順次めくれて最後尾に移動されるようにアイコン３１をアニメーション表示することで、手前側の撮影画像を切り替えて表示する。このようにすることで、ブラウザビュー画面において複数の撮影画像が重ねて表示されていても、ユーザは各撮影画像の内容を確認することができる。
【００５０】
なお、ここでは複数の撮影画像が重なったイメージによりアイコン３１を表示することで、同一のアイコン位置に対して時空データベースから複数の撮影画像情報が検索されて抽出されたことを表したが、これを他の表示方法により表してもよい。たとえば、複数の撮影画像情報が検索されて抽出された場合は、その撮影画像の枚数を示したバルーン形状の枠を表示する。あるいは、空間カーソル３０によって選択されたときに、このようなバルーン形状の枠を表示するようにしてもよい。
【００５１】
一方、アイコン３２〜３４は、いずれも立体的な形状のアイコン（立体アイコン）により表示されている。アイコン３２が表す撮影画像には、主要被写体として人の顔が撮影されており、アイコン３４が表す撮影画像には、主要被写体として山が撮影されている。
【００５２】
アイコン３３は、直方体状の立体アイコンであり、撮影画像を縮小したサムネイル画像が一つの面に貼り付けられている。このように立体面に貼り付けられる画像は、テクスチャと呼ばれている。アイコン３３では、この直方体により、撮影画像における撮影条件を表現している。たとえば、直方体の向き（テクスチャ面の向き）は、撮影方向を表しており、直方体の厚さ（テクスチャ面に対する厚み方向の長さ）は、撮影画像の被写界深度を表しており、直方体の大きさ（テクスチャ面の大きさ）は、撮影画像における画角を表している。
【００５３】
以上説明したようなアイコン３３をブラウザビュー画面において表示することで、デジタルカメラ１のユーザは、その撮影画像がどのような撮影条件で取得されたのかを直感的にかつ容易に把握することができる。なお、上記のような撮影条件の情報は、撮影位置や撮影時刻の情報と共に撮影時に取得され、前述のメタ情報の一部として、ＣＰＵ１０１の制御により撮影画像情報と共に、メモリカード１１５またはサーバ装置３の時空データベ
ースに記録される。
【００５４】
なお、上記のようにサムネイル画像をテクスチャとして立体アイコンに貼り付けるのではなく、サムネイル画像をそのままブラウザビュー画面において表示するようにしてもよい。この場合、サムネイル画像を擬似立体空間内に表示するときのサムネイル画像の向きは、アイコン３３における直方体の向きと同様に、メタ情報によって時空データベースに記録された撮影方向、すなわち撮影時のデジタルカメラの向きに応じて決定される。言い換えると、撮影画像がメタ情報として有する向きに関するデータに基づいて、そのデータが表す向きに応じて、撮影画像をサムネイル画像により擬似立体空間内に表示するときの向きが決定される。したがって、デジタルカメラ１のユーザは、その撮影画像が取得されたときの撮影方向を直感的にかつ容易に把握することができる。
【００５５】
一方、山を主要被写体とした撮影画像を表すアイコン３４は、山を模擬した立体形状を有しており、その側面部分には、撮影画像から切り出された山の部分がテクスチャとして貼り付けられている。同様に、顔を主要被写体とした撮影画像を表しているアイコン３２は、人の頭部を模擬した球状あるいは円盤状の立体形状を有しており、その側面部分には、撮影画像から切り出された人の顔の部分がテクスチャとして貼り付けられている。
【００５６】
このように、デジタルカメラ１は、時空データベースから抽出された撮影画像の被写体を模擬した形状の立体アイコン３２および３４をブラウザビュー画面において表示する。すなわち、立体アイコン３２および３４の形状は、時空データベースから抽出された撮影画像情報における主要被写体に応じて決定される。これにより、デジタルカメラ１のユーザは、その立体アイコンの撮影画像に何が写っているかを直感的にかつ容易に把握することができる。
【００５７】
また、立体アイコン３２および３４には、撮影画像から主要被写体の部分を切り出した画像が貼り付けられる。これにより、デジタルカメラ１のユーザは、立体アイコンによって表された主要被写体が撮影画像においてどのように写っているかを具体的に観察することができる。
【００５８】
なお、上記のような立体アイコンの形状は一例であるため、その他にも被写体の種類に応じて様々な形状とすることができる。たとえば、人物の全体像であれば人型の立体アイコン、動物であれば動物型の立体アイコンなどを用いることができる。さらに、東京タワー等の著名建造物であれば、その建造物に合わせた形状の立体アイコンを用いるようにしてもよい。
【００５９】
上記において、撮影画像から被写体の部分を切り出す処理は、デジタルカメラ１やサーバ装置３が主要被写体の認識処理や顔認識処理のような周知の処理手法などを用いて自動的に行うことができる。あるいは、デジタルカメラ１のユーザやサーバ装置３の管理者等が切り出し範囲を指定することで行うようにしてもよい。
【００６０】
ブラウザビュー画面が表示されているときに、ユーザがデジタルカメラ１の傾きを変化させると、前述のようにして検索対象時間が変化され、それまでとは異なる検索条件が設定される。したがって、擬似立体空間内に表示されるアイコンも、それまでとは違うものに変化する。
【００６１】
なお、検索条件において検索対象時間を設定しない場合でも、カメラ傾きに基づいて表示対象時間を設定することで、検索対象時間を設定した場合と同様に、擬似立体空間内に表示されるアイコンをカメラ傾きに応じて変化させるようにしてもよい。たとえば、現在のカメラ傾きがほぼ０である場合、すなわちユーザがデジタルカメラ１をほぼ真っ直ぐ向
けて構えている場合は、時空データベースから抽出された情報のうち、現在から所定の時間範囲、たとえば１年前までの時間範囲において作成または取得された情報のアイコンをブラウザビュー画面に表示する。この状態からユーザがデジタルカメラ１を右に傾けると、表示対象時間、すなわちブラウザビュー画面においてアイコンの表示対象とする情報の取得時間の範囲を、次第に過去に遡って変化させる。反対に、ユーザがデジタルカメラ１を左に傾けると、表示対象時間を過去から現在に向かって次第に変化させる。
【００６２】
あるいは、カメラ傾きに基づいて設定された表示対象時間内に作成または取得された情報と、表示対象時間外に作成または取得された情報とを、異なる表示形態としてもよい。たとえば、表示対象時間内に取得された撮影画像については通常の色合いで表示し、表示対象時間よりも過去に取得された撮影画像はセピア色で、表示対象時間よりも未来に取得された撮影画像は青色で、それぞれ表示する。このようにして、各情報の時間的特徴をブラウザビュー画面において表現するようにしてもよい。
【００６３】
シャッターボタン１１が半押し操作されると、そのときブラウザビュー画面において空間カーソル３０内に位置しているアイコンが選択され、選択されたアイコンの情報がモニタ１０４において一覧表示される。これにより、ブラウザビュー画面においてそれぞれ所定の位置に配置された時空データベースからの抽出情報のうち、空間カーソル３０内に配置された情報が選択される。すると、図６に示すような画面が表示される。このような表示画面を、以下ではセレクトビュー画面と称する。このセレクトビュー画面では、図５のブラウザビュー画面において空間カーソル３０内に位置しているアイコン３１および３２が表す情報として、アイコン３１に対応する撮影画像３５〜３７と、アイコン３２に対応する撮影画像３８とが一覧表示されている。
【００６４】
図６のセレクトビュー画面では、一覧表示された情報のうち、枠により囲われた撮影画像３５が選択されている。この枠の位置は、デジタルカメラ１の操作に応じて変更することができる。たとえば、デジタルカメラ１の仰角や方位角、傾きなどの姿勢変化に応じて枠の位置を変更してもよい。あるいは、ジョグダイヤル１７の操作に応じて枠の位置を変更してもよい。なお、セレクトビュー画面でもブラウザビュー画面と同様に、カメラ傾きに基づいて表示対象時間を設定することで、表示する情報の取得時間の範囲を変化させるようにしてもよい。
【００６５】
セレクトビュー画面においてシャッターボタン１１が全押し操作されると、そのとき選択されていた情報がモニタ１０４に拡大表示される。このとき表示される画面を、以下ではワンビュー画面と称する。一方、シャッターボタン１１の半押し操作が解除されると、図５のブラウザビュー画面に戻る。
【００６６】
図７は、撮影画像３５が選択されたときのワンビュー画面の例を示している。シャッターボタン１１の全押し操作が解除されると、図５のブラウザビュー画面に戻る。
【００６７】
デジタルカメラ１は、情報検索モードが設定されると、以上説明したような処理を実行することにより、時空データベースから様々な情報を抽出して表示する。図８は、このときの処理の流れを示すフローチャートである。このフローチャートは、ＣＰＵ１０１によって実行される。以下、図８のフローチャートについて説明する。
【００６８】
ステップＳ１０では、ＣＣＤ１１３からの撮像信号に基づく撮影画像データをＣＣＤドライバ１１２から受信して、被写体のスルー画像を取得する。ステップＳ２０では、ステップＳ１０で取得したスルー画像をモニタ１０４に表示する。これにより、図４のようなスルー画像が表示される。
【００６９】
ステップＳ３０では、情報検索モードが設定されているか否かを判定する。情報検索モードが設定されている場合は、次のステップＳ４０へ進む。一方、情報検索モードが設定されておらず、撮影モードが設定されている場合は、ステップＳ１０へ戻る。これにより、撮影モードでは図４のようなスルー画像が表示される。そして、ユーザがシャッターボタン１１を操作して撮影指示を行うと、その撮影指示に応じて撮影画像が取得され、撮影画像情報がメモリカード１１５に記録される。
【００７０】
ステップＳ４０では、カメラ位置の検出を行う。ここでは、ＧＰＳセンサ１０７によりＧＰＳ信号を受信することで、そのＧＰＳ信号に基づいて、デジタルカメラ１の現在位置を示すカメラ位置を検出する。次のステップＳ５０では、カメラ姿勢の検出を行う。ここでは、モーションセンサ１０８によって検出されたデジタルカメラ１の姿勢変化に基づいて、デジタルカメラ１の現在の向きを示すカメラ向きと、デジタルカメラ１の現在の傾きを示すカメラ傾きとを検出する。
【００７１】
ステップＳ６０では、ステップＳ５０で検出されたカメラ姿勢に基づいて、そのときのカメラ傾きに応じた情報検索の時間範囲を前述のようにして設定する。ステップＳ７０では、ステップＳ４０で検出されたカメラ位置と、ステップＳ６０で設定された時間範囲とに基づいて、前述のような方法により、時空データベースから情報を検索する際の検索条件を設定する。すなわち、カメラ位置およびカメラ向きに基づいて検索対象エリアを設定すると共に、そのときのデジタルカメラ１の傾き状態に応じて設定された情報検索の時間範囲に基づいて検索対象時間を設定することで、検索条件を設定する。なお、このとき検索対象エリアのみを設定し、検索対象時間を設定しないこととしてもよい。
【００７２】
ステップＳ８０では、ステップＳ７０で設定された検索条件に基づいて、時空データベースから情報の検索を行う。このとき、メモリカード１１５とサーバ装置３のいずれか一方の時空データベースから情報を検索してもよいし、両方の時空データベースから情報を検索してもよい。ステップＳ９０では、ステップＳ８０で検索された情報を時空データベースから抽出する。これにより、検索条件を満たす情報が抽出される。
【００７３】
なお、ステップＳ８０においてサーバ装置３の時空データベースを検索する場合は、前述のように、ステップＳ７０で設定した検索条件をサーバ装置３へ送信するようにしてもよい。あるいは、時空データベースに記録された情報をデジタルカメラ１のＣＰＵ１０１に入力し、その情報をデジタルカメラ１において検索するようにしてもよい。いずれかの方法で時空データベースから検索された情報が、ステップＳ９０において抽出される。
【００７４】
ステップＳ１００では、ステップＳ９０で抽出された情報に対してアイコン作成処理を行う。このアイコン作成処理では、ステップＳ９０で抽出された各情報の内容に応じて、図５のアイコン３１〜３４のようなアイコンをそれぞれ作成する。なお、このときに必要な撮影条件などの情報は、前述のように撮影画像情報に付加されたメタ情報として時空データベースに記録されている。
【００７５】
ステップＳ１１０では、立体化処理を行う。ここでは、ステップＳ４０で検出されたカメラ位置と、ステップＳ５０で検出されたカメラ姿勢とに基づいて、前述のように擬似立体空間の範囲を決定する。
【００７６】
ステップＳ１２０では、ブラウザビュー画面をモニタ１０４に表示する。ここでは、ステップＳ２０で表示したスルー画像に重畳して、ステップＳ１１０の立体化処理で決定された擬似立体空間の範囲に対応するグリッド線および空間カーソルを表示すると共に、ステップＳ１００で作成されたアイコンを擬似立体空間内の対応する位置にそれぞれ表示する。これにより、図６のようなブラウザビュー画面が表示される。
【００７７】
ステップＳ１３０では、モーションセンサ１０８によって検出されたカメラ姿勢に変化があるか否かを判定する。カメラ姿勢に変化がある場合はステップＳ１４０へ進む。ステップＳ１４０では、カメラ姿勢の変化に応じて、前述のようにして空間カーソル３０をブラウザビュー画面内で移動させる。ステップＳ１４０を実行したら、ステップＳ１５０へ進む。一方、カメラ姿勢に変化がない場合は、ステップＳ１４０を実行せずにステップＳ１５０へ進む。
【００７８】
ステップＳ１５０では、複数画像を表すアイコン３１が空間カーソル３０内にあるか否かを判定する。空間カーソル３０内にアイコン３１がある場合は、次のステップＳ１６０へ進み、アイコン３１を前述のようにアニメーション表示する。これにより、複数の撮影画像を交互に切り替えて表示し、各撮影画像の内容をユーザが確認できるようにする。ステップＳ１６０を実行したら、ステップＳ１７０へ進む。一方、空間カーソル３０内にアイコン３１がない場合は、ステップＳ１６０を実行せずにステップＳ１７０へ進む。
【００７９】
ステップＳ１７０では、シャッターボタン１１の半押し操作があったか否かを判定する。ブラウザビュー画面において半押し操作があった場合はステップＳ１８０へ進み、なかった場合はステップＳ１０へ戻る。
【００８０】
ステップＳ１８０では、空間カーソル３０内に情報があるか否かを判定する。空間カーソル３０内に情報がある場合、すなわちブラウザビュー画面において空間カーソル３０内にいずれかの情報を表すアイコンが表示されている場合は、ステップＳ１９０へ進む。一方、空間カーソル３０内に情報がない場合は、ステップＳ１０へ戻る。
【００８１】
ステップＳ１９０では、ステップＳ１８０で空間カーソル３０内にあると判定された情報について、図６のようなセレクトビュー画面を表示する。ステップＳ２００では、セレクトビュー画面においてシャッターボタン１１の全押し操作があったか否かを判定する。全押し操作があった場合はステップＳ２１０へ進み、なかった場合はステップＳ２２０へ進む。
【００８２】
ステップＳ２１０では、全押し操作があったときにセレクトビュー画面で選択されていた撮影画像について、図７のようなワンビュー画面を表示する。
【００８３】
ステップＳ２２０では、シャッターボタン１１の操作が解除されたか否かを判定する。シャッターボタン１１の操作が解除された場合、すなわち半押し操作や全押し操作が解除された場合は、ステップＳ１０へ戻る。これにより、前述のような処理を繰り返して、再びブラウザビュー画面を表示する。一方、シャッター操作が解除されない場合は、ステップＳ１９０へ戻ってセレクトビュー画面の表示を続ける。なお、全押し操作されている場合は、セレクトビュー画面ではなくワンビュー画面を表示する。
【００８４】
以上説明した実施の形態によれば、次の作用効果を奏する。
（１）デジタルカメラ１は、モニタ１０４にブラウザビュー画面を表示する（ステップＳ１２０）。これにより、モニタ１０４の画面上に擬似立体空間を表現し、モニタ１０４において、その擬似立体空間の所定の領域を示す空間カーソル３０を表示すると共に、擬似立体空間内の所定の位置に配置された各種の情報をアイコン３１〜３４によって表示する。そして、シャッターボタン１１が半押し操作されると、ＣＰＵ１０１の処理により、アイコン３１〜３４の各情報のうち、空間カーソル３０内に配置された情報を選択して、セレクトビュー画面を表示する（ステップＳ１９０）こととした。このようにしたので、様々な情報を見やすく表示しつつ、いずれかの情報を容易に選択することができる。
【００８５】
（２）デジタルカメラ１は、ユーザの操作に応じて空間カーソル３０を擬似立体空間内で移動させるための操作部材として用いられるジョグダイヤル１７や十字キーなどを備えることができる。あるいは、モーションセンサ１０８により検出されたデジタルカメラ１の姿勢に基づいて、デジタルカメラ１の向きを検出する（ステップＳ５０）。空間カーソル３０は、この向きに応じて、擬似立体空間内を移動することができる。このようにしたので、ユーザはデジタルカメラ１を直感的に操作して、空間カーソル３０を擬似立体空間内で思い通りに移動させることができる。
【００８６】
（３）ブラウザビュー画面における空間カーソル３０の大きさは、撮影レンズの焦点距離に応じて決定されることが好ましい。これにより、デジタルカメラ１のユーザは、ブラウザビュー画面において、焦点距離に応じて擬似立体空間の範囲が変化していることを認識することができる。
【００８７】
（４）ブラウザビュー画面において、擬似立体空間内でのアイコン３１〜３４の配置は、アイコン３１〜３４が表す各情報の取得位置に基づいて決定される。このようにしたので、デジタルカメラ１は、時空データベースから抽出した情報を、その取得位置と共にユーザに分かりやすく提示することができる。
【００８８】
（５）デジタルカメラ１は、ブラウザビュー画面において、モニタ１０４に表示する情報として、アイコン３１〜３４のような画像を擬似立体空間内に表示することとした。このようにしたので、画像の内容を分かりやすくユーザに提示することができる。
【００８９】
（６）デジタルカメラ１は、ＣＰＵ１０１の制御により、撮影画像を取得したときのデジタルカメラ１の向きに関するデータを、撮影画像情報と共にメモリカード１１５またはサーバ装置３の時空データベースに記録する。ブラウザビュー画面において撮影画像を擬似立体空間内に表示するときの画像の向きは、こうして時空データベースに記録されたデータが表す撮影時のデジタルカメラ１の向きに応じて決定される。したがって、デジタルカメラ１のユーザは、その撮影画像が取得されたときの撮影方向を直感的にかつ容易に把握することができる。
【００９０】
（７）デジタルカメラ１は、モニタ１０４にアイコン３１を表示することで、複数の画像を擬似立体空間内の同じ位置に重ねて表示する。そして、アイコン３１が空間カーソル３０内にある場合は、モニタ１０４においてアイコン３１をアニメーション表示し（ステップＳ１６０）、その複数の画像を交互に切り替えて表示することとした。このようにしたので、ブラウザビュー画面において複数の画像が重ねて表示されていても、ユーザは各画像の内容を確認することができる。
【００９１】
（８）デジタルカメラ１は、モニタ１０４において、撮影画像が貼り付けられた立体アイコン３２〜３４を擬似立体空間内に表示する。このとき、立体アイコン３３の形状は、その撮影画像を取得したときの撮影条件に基づいて決定されることとした。このようにしたので、ユーザは、その撮影画像がどのような撮影条件で取得されたのかを直感的にかつ容易に把握することができる。
【００９２】
（９）また、立体アイコン３２および３４の形状は、撮影画像における主要被写体に応じて決定されることとした。すなわち、立体アイコン３２の形状は、主要被写体である人の顔の形状に応じて決定され、立体アイコン３４の形状は、主要被写体である山の形状に応じて決定される。このようにしたので、ユーザは、その立体アイコンの撮影画像に何が写っているかを直感的にかつ容易に把握することができる。
【００９３】
（１０）上記の立体アイコン３２および３４には、主要被写体の部分を切り出した画像が
貼り付けられることとした。このようにしたので、ユーザは、その立体アイコンによって表された主要被写体が撮影画像においてどのように写っているかを具体的に観察することができる。
【００９４】
なお、上記実施の形態では、電子カメラであるデジタルカメラ１を例に説明したが、他の装置についても本発明を適用可能である。たとえば、カメラ付きの携帯電話などの携帯電子機器に適用することができる。あるいは、撮影を行わないデジタル式の双眼鏡やフィールドスコープなどにおいて、予め時空データベースに記録された画像情報などの各種情報を検索して表示する際に、本発明を適用してもよい。すなわち、画面上に表現された擬似立体空間の所定の領域を示す空間カーソルおよび擬似立体空間内の所定の位置に配置された情報を表示する表示部と、空間カーソル内に配置された情報を選択する選択部とを備える表示装置においても、本発明を適用することができる。
【００９５】
以上説明した実施の形態や各種の変形例はあくまで一例に過ぎない。したがって、本発明の特徴が損なわれない限り、本発明はこれらの内容に限定されない。
【符号の説明】
【００９６】
１：デジタルカメラ
２：アクセスポイント
３：サーバ装置
【図１】
2012199971.tif 000003
【図２】
2012199971.tif 000004
【図３】
2012199971.tif 000005
【図４】
2012199971.tif 000006
【図５】
2012199971.tif 000007
【図６】
2012199971.tif 000008
【図７】
2012199971.tif 000009
【図８】
2012199971.tif 000010